(57)【要約】      （修正有）【課題】自治体等が定める、景観法あるいは景観条例に関わる景観色彩基準において、選択した色彩が該当する景観色彩基準に適合するように設計や審査ができる機能をもつ基準色票集を提供する。【解決手段】台紙に基準別に分類記号化して、色別に基準内か基準外かの情報を刷り込み、隣接して、マンセル値が付記された市販の塗装色票の頁を貼付けて基準色票集とする。【選択図】図１
0003186218.tif 000002
【実用新案登録請求の範囲】
【請求項１】
自治体等が定める、景観法あるいは景観条例に関わる景観色彩基準において、選択した色彩が該当する景観色彩基準の範囲内にあり、建築物外装の色彩として使用して良いか、基準外の色彩のために使用してはいけないかを、簡単に判別出来るように台紙に基準別に分類記号化して、色別に基準内か基準外かの情報を刷り込み、隣接して（公序良俗違反につき、不掲載）の頁を貼付けて作ることができる基準色票集。
【考案の詳細な説明】
【技術分野】
【０００１】  本考案は、色彩を表示する国際的なマンセル値表記に従い正確に色を調製した塗装色票を用いた、景観色彩基準を順守するための建築用基準色票集である。【０００２】  多くの自治体の景観色彩基準は、マンセル表色系を用いて、建築物や工作物の色彩範囲を、景観の美化や保全のために規制しているが、基準がマンセル値表記によっているために、実際の色彩と結びつけて設計や評価をすることが難しく、一方、日本国共通の基準色票集であるＪＩＳ  Ｚ  ８７２１準拠の標準色票の普及度は低く、高価であるために、容易に制作出来、しかも判り易い基準色票集が求められているが、印刷による色票は精度が低く基準色票には成り難い。
【先行技術文献】
【０００３】
【非特許文献】
【非特許文献】  日本規格協会発行  ＪＩＳ標準色票光沢版（第９版）  （ＪＩＳ  Ｚ  ８７２１準拠）  監修  日本規格協会ＪＩＳ色票委員会  １６８，０００円
【考案の概要】
【考案が解決しようとする課題】
【０００４】  自治体等の景観色彩基準は、自治体ごとに策定され、対象地域・規模や建築部位により複雑に基準値が設定されているために、全国に適用できる画一的な基準色票集を作ることができない。そのために個々の自治体等の景観色彩基準について専用の基準色票集を作る必要がある。【０００５】  ほとんどの景観色彩基準の基準値は、マンセル値表記によって色彩範囲が規定されているが、マンセル値に関する知識の普及が不十分で、一般人がマンセル値を見て、その色彩を正確に想定することは困難であり、マンセル値と色彩が対となり、さらにその色彩が景観色彩基準の基準内に入るか否かの情報が組み合わされている基準色票集が必要となる。
【課題を解決するための手段】
【０００６】  本考案は、マンセル値を明記した正確で安価な塗装色票と、景観色彩基準の規定する情報を組み合わせた多色の色票集を作ることにより課題を解決しようとするものである。【０００７】  使用する塗装色票は、１９５６年以降、二年に一回の発行が続いている（公序良俗違反につき、不掲載）を用いる。塗料用標準色ポケット版の２０１３年Ｇ版は、総色数６３２色で、８色が一頁にデポジット塗装された７９頁構成の、幅５０ｍｍ、高さ２０５ｍｍ、定価２，６２５円の色票集である。【０００８】  景観色彩基準の規定する情報が、（公序良俗違反につき、不掲載）の各色に隣接して表記された、Ａ４サイズ相当の台紙を作成し、(公序良俗違反につき、不掲載）の各頁を糊付けすることにより基準色票集とする。通常はＡ４サイズ相当の台紙一頁に塗料用標準色ポケット版の二頁を貼るが、情報が多い場合は一頁を貼ってもよい。二頁を貼った場合は、一冊が４０頁の基準色票集となる。
【考案の効果】  景観色彩基準が適用される建築物等の設計に際し、この基準色票集を用いると、外装や屋根の色彩を選択する際に建築主、設計者、施工者の合意が得られやすく、一方、自治体等の担当者が用いると届出内容を審査する際に判断が正確迅速になる効果が期待でき、落成後の色彩変更命令執行も少なくなり、美しい景観形成に寄与する効果がある。
【図面の簡単な説明】
【０００９】
【図１】本考案の基準色票集の単位頁の台紙の色票貼付け前の実施例である。
【図２】台紙に貼る（公序良俗違反につき、不掲載）７９頁中の１頁の例である。
【考案を実施するための形態】
【００１０】  本考案の基準色票集は、Ａ４サイズ相当の台紙を縦方向に片面で使用した場合、左側に２穴の綴じ穴を開けリングファイルに綴じる形態にすると使いやすい。台紙はやや厚手の紙を用いると、耐久性や取り扱いに適した冊子となる。形態としては、Ａ４サイズ片面印刷、Ａ４サイズ両面印刷、Ａ３サイズ片面印刷二つ折りなどがあり、選択する。
【実施例】
【００１１】  以下、添付図面に従って一実施例を説明する。図１は台紙のレイアウトの一例であり、（公序良俗違反につき、不掲載）の２頁を使用している。台紙の有効面を縦に二等分して、基準情報を左側に、色彩情報を右側のポケット版に委ねている。基準情報は、都市計画法の用途地域を住居系・商業系・工業系に三分類して別々の基準を設け、さらに、外壁・外装基本色と屋根の基本色について別の基準を設ける６分類型の色彩範囲を制定している例である。右側の色票の色彩が基準内にある場合は○印、基準外の色は灰色で表している。塗料用標準色ポケット版の頁は、色相記号と頁数字を合わせて貼る。また、貼付け位置に幅と高さの寸法が入っている理由はポケット版の大きさが決っているため、台紙のオンデマンド印刷に際し、寸法差が出ないように配慮した結果である。
【符号の説明】
【００１２】  １  台紙の例  ２  （公序良俗違反につき、不掲載）の１頁の例  ３  景観色彩基準の分類表示  ４  色別の基準合否表示欄  ５  ポケット版頁の貼付け位置
0003186218.tif 000003
【手続補正書】
【提出日】平成25年7月12日(2013.7.12)
【手続補正１】
【補正対象書類名】実用新案登録請求の範囲
【補正対象項目名】全文
【補正方法】変更
【補正の内容】
【実用新案登録請求の範囲】
【請求項１】
自治体等が定める、景観法あるいは景観条例に関わる景観色彩基準において、選択した色彩が該当する景観色彩基準の範囲内にあり、建築物外装や屋根の色彩として使用して良いか、基準外の色彩のために使用してはいけないかを、簡単に判別出来るように、台紙に基準別に分類記号化して、色別に基準内か基準外かの情報を刷り込み、隣接して、マンセル値が付記された市販の塗装色票の頁を貼付けて作ることができる基準色票集。
【手続補正２】
【補正対象書類名】明細書
【補正対象項目名】０００７
【補正方法】変更
【補正の内容】
【０００７】  使用する塗装色票は、マンセル値が付記された市販の塗装色票で、１頁に最大１０色前後の色票が、縦あるいは横一列に間隔を空けて並んだ状態のものを選び、不要な部分は切り落として使用する。
【手続補正３】
【補正対象書類名】明細書
【補正対象項目名】０００８
【補正方法】変更
【補正の内容】
【０００８】  景観色彩基準が規定する情報を、マンセル値が付記された市販の塗装色票の各色に隣接して表記されたＡ４サイズ相当の台紙を作成し、マンセル値が付記された市販の塗装色票の各頁を糊付けすることにより、基準色票集の単位頁とする。景観色彩基準が規定する情報が単純な場合はマンセル値が付記された市販の塗装色票を２頁、複雑な場合は１頁を貼る方法が妥当である。それらを集積して綴じたものが基準色票集となる。
【手続補正４】
【補正対象書類名】明細書
【補正対象項目名】０００９
【補正方法】変更
【補正の内容】
【０００９】
【図１】本考案の基準色票集の単位頁の台紙の色票頁貼付け前の図である。
【図２】台紙に貼付けるマンセル値が付記された市販の塗装色票の１頁の図である。
【手続補正５】
【補正対象書類名】明細書
【補正対象項目名】００１１
【補正方法】変更
【補正の内容】
【００１１】  以下、添付図面に従って一実施例を説明する。図１は台紙のレイアウトの一例であり、マンセル値が付記された市販の塗装色票を２頁使用している。台紙の有効面を縦に二等分して、色彩基準の地域と部位に関する情報を左側に、図２の色票頁を右側に配置している。基準の情報は、都市計画法の用途地域を住居系・商業系・工業系に三分類して別々の色彩基準を設け、更に、外壁・外装基本色と屋根の基本色について個別の色彩基準を設ける６分類型の色彩範囲を、マンセル値の色相・明度・彩度別に制定している例である。右側の色票のマンセル値が色彩基準内に該当する色は丸印で、該当しない色は灰色で区分して判り易く示している。
【手続補正６】
【補正対象書類名】明細書
【補正対象項目名】００１２
【補正方法】変更
【補正の内容】
【００１２】１  基準色票集の単位頁の台紙の例２  マンセル値が付記された市販の塗装色票の１頁３  景観色彩基準の分類表示４  色別の色彩基準合否表示欄５  市販の塗装色票頁の貼付け位置
【手続補正７】
【補正対象書類名】図面
【補正対象項目名】全図
【補正方法】変更
【補正の内容】
【図１】
0003186218.tif 000004
【図２】
0003186218.tif 000005